(57)【特許請求の範囲】
【請求項１】
ユーザから複数のキーワードの入力を受け付けるキーワード入力手段と、
ユーザから検索開始の指示を受け付ける開始入力手段と、
前記複数のキーワードの入力を受け付けた状態で、前記検索開始の指示を受け付けた際、前記キーワードと検索手法を特定するための属性とを対応付けたテーブルを参照して、前記複数のキーワードのうち一のキーワードに、前記属性として、キーワードに対応するエリアに存在する地点を検索する属性が対応付けられている場合、前記一のキーワードに対応するエリアに存在する地点のうち、他のキーワードに該当する地点を、複数の地点の情報が記憶されたデータベースから検索させる制御手段と、
検索された地点の情報を出力する出力手段と、
を有することを特徴とする出力装置。
【請求項２】
前記制御手段は、
前記他のキーワードが地点のジャンルを示すキーワードである場合、前記エリアに存在する施設のうち、前記ジャンルに該当する施設を前記データベースから検索させることを特徴とする請求項１に記載の出力装置。
【請求項３】
前記制御手段は、
検索手法を特定するための属性と前記キーワードとを対応付けたテーブルと、
前記キーワードの入力により、前記テーブルを参照して各入力キーワードに属性を設定する設定手段と、
前記入力キーワードに設定されている属性により特定される検索手法で当該入力キーワードに該当する地点を前記データベースから検索する検索手段と、
を備えることを特徴とする請求項１に記載の出力装置。
【請求項４】
前記設定手段は、前記入力キーワードが複数入力された場合に、前記テーブルを参照して、各入力キーワードに属性を設定し、
前記検索手段は、前記複数の属性のうちの特定の属性が設定されたキーワードのみが受け付けられた場合と、前記特定の属性が設定されたキーワードと他の属性が設定されたキーワードとが受け付けられた場合とで、前記特定の属性が設定されたキーワードに該当する地点を前記データベースから検索する検索手法を異ならせることを特徴とする請求項３に記載の出力装置。
【請求項５】
複数の地点についてのデータベースから特定の地点の出力装置により実施する出力方法であって、
ユーザから複数のキーワードの入力をキーワード入力手段により受け付けるキーワード入力工程と、
ユーザから検索開始の指示を開始入力手段により受け付ける開始入力工程と、
前記複数のキーワードの入力を受け付けた状態で、前記検索開始の指示を受け付けた際、前記キーワードと検索手法を特定するための属性とを対応付けたテーブルを参照して、前記複数のキーワードのうち一のキーワードに、前記属性として、キーワードに対応するエリアに存在する地点を検索する属性が対応付けられている場合、前記一のキーワードに対応するエリアに存在する地点のうち、他のキーワードに該当する地点を、複数の地点の情報が記憶されたデータベースから検索させる制御工程と、
検索された地点の情報を出力手段から出力させる出力工程と、
を含むことを特徴とする出力方法。
【請求項６】
請求項５に記載の出力方法をコンピュータに実行させることを特徴とする出力プログラム。
【請求項７】
請求項６に記載の出力プログラムを記録したことを特徴とするコンピュータに読み取り可能な記録媒体。
【発明の詳細な説明】
【技術分野】
【０００１】
この発明は、地点検索装置、地点検索方法、地点検索プログラム、および記録媒体に関する。
【背景技術】
【０００２】
近年、車両などの移動体には、目的地を設定することにより、当該目的地までの経路を誘導するナビゲーション装置が搭載されている。目的地や登録地などの設定は、ユーザが地図画面をスクロールして地図画面上の１点を特定することによっておこなわれるほか、検索画面からユーザが所望する項目を選択したりキーワードを入力したりすることによってもおこなわれる。
【０００３】
検索画面から目的地などを設定する場合には、住所検索、名称検索、ジャンル検索などの検索手法が用いられる（たとえば、下記特許文献１参照）。住所検索は、ユーザから入力される住所を用いて、住所の情報を格納するデータベースから当該住所に該当する地物を検索する手法である。また、名称検索は、ユーザから入力される施設名称などを用いて、名称に関する情報を記録するデータベースから当該名称に該当する地物を検索する手法である。さらに、ジャンル検索は、ユーザから入力されるジャンルを用いて、ジャンルに関する情報を記録するデータベースから、入力されたジャンルに該当する地物を検索する手法である。
【先行技術文献】
【特許文献】
【０００４】
【特許文献１】特開２００６−１３８７４３号公報
【発明の開示】
【発明が解決しようとする課題】
【０００５】
しかしながら、上述した特許文献１に記載の技術は、検索をおこなうにあたり、ユーザからの検索手法の設定を要するため、ユーザにとって煩わしいといった問題が一例として挙げられる。特に、複数のキーワードを用いて検索をおこなう場合には、ユーザにより、どのキーワードがどの検索手法に該当するのかを判断しなければならず、ユーザにとって負担となるといった問題が一例として挙げられる。
【０００６】
また、ユーザにより検索手法が誤って設定された場合には、ユーザは最初から入力し直す必要があるだけでなく、ユーザが検索手法を誤認している場合には、適正な検索結果を得ることができないといった問題が一例として挙げられる。
【課題を解決するための手段】
【０００７】
上述した課題を解決し、目的を達成するため、請求項１の発明にかかる出力装置は、ユーザから複数のキーワードの入力を受け付けるキーワード入力手段と、ユーザから検索開始の指示を受け付ける開始入力手段と、前記複数のキーワードの入力を受け付けた状態で、前記検索開始の指示を受け付けた際、前記キーワードと検索手法を特定するための属性とを対応付けたテーブルを参照して、前記複数のキーワードのうち一のキーワードに、前記属性として、キーワードに対応するエリアに存在する地点を検索する属性が対応付けられている場合、前記一のキーワードに対応するエリアに存在する地点のうち、他のキーワードに該当する地点を、複数の地点の情報が記憶されたデータベースから検索させる制御手段と、検索された地点の情報を出力する出力手段と、を有することを特徴とする。
【０００８】
また、請求項５に記載の出力方法は、複数の地点についてのデータベースから特定の地点の出力装置により実施する出力方法であって、ユーザから複数のキーワードの入力をキーワード入力手段により受け付けるキーワード入力工程と、ユーザから検索開始の指示を開始入力手段により受け付ける開始入力工程と、前記複数のキーワードの入力を受け付けた状態で、前記検索開始の指示を受け付けた際、前記キーワードと検索手法を特定するための属性とを対応付けたテーブルを参照して、前記複数のキーワードのうち一のキーワードに、前記属性として、キーワードに対応するエリアに存在する地点を検索する属性が対応付けられている場合、前記一のキーワードに対応するエリアに存在する地点のうち、他のキーワードに該当する地点を、複数の地点の情報が記憶されたデータベースから検索させる制御工程と、検索された地点の情報を出力手段から出力させる出力工程と、を含むことを特徴とする。
【０００９】
また、請求項６に記載の出力プログラムは、請求項５に記載の出力方法をコンピュータに実行させることを特徴とする。
【００１０】
また、請求項７に記載の記録媒体は、請求項６に記載の出力プログラムをコンピュータに読み取り可能に記録したことを特徴とする。
【図面の簡単な説明】
【００１１】
【図１】本実施の形態にかかる地点検索装置の機能的構成の一例を示すブロック図である。
【図２】本実施の形態にかかる地点検索装置の地点検索処理手順の一例を示すフローチャートである。
【図３】本実施例にかかるナビゲーション装置のハードウェア構成の一例を示すブロック図である。
【図４】磁気ディスクに記録される属性テーブルの一例を示す説明図である。
【図５】磁気ディスクに記録される検索用テーブルの一例を示す説明図である。
【図６−１】ナビゲーション装置による属性設定処理の一例を示すフローチャートである。
【図６−２】ナビゲーション装置による属性設定処理の一例を示すフローチャートである。
【図７】地点検索時における入力画面の一例を示す説明図である。
【図８】ユーザからキーワードの入力を受け付けた際の表示画面の一例を示す説明図である。
【図９】入力キーワードに属性を設定した際の表示画面の一例を示す説明図である。
【図１０】キーワードが変更されたことにより属性を変更した際の表示画面の一例を示す説明図である。
【図１１】ユーザの選択により属性を変更した際の表示画面の一例を示す説明図である。
【図１２】複数の入力キーワードに属性を設定した際の表示画面の一例を示す説明図である。
【図１３−１】住所エリア属性が設定された場合における地点検索処理の一例を示すフローチャートである。
【図１３−２】ジャンル属性が設定された場合における地点検索処理の一例を示すフローチャートである。
【図１４−１】地点のエリアを対象として検索をおこなうエリア検索におけるエリアコードの抽出処理の一例を示すフローチャートである。
【図１４−２】地点検索処理におけるジャンルコードの抽出処理の一例を示すフローチャートである。
【図１５】地点検索処理における名称検索処理の一例を示すフローチャートである。
【図１６】検索処理において作成される検索用テーブルの一例を示す説明図である。
【図１７】１件の検索結果を出力した際の表示画面の一例を示す説明図である。
【図１８】複数件の検索結果を出力した際の表示画面の一例を示す説明図である。
【発明を実施するための形態】
【００１２】
以下に添付図面を参照して、この発明にかかる地点検索装置、地点検索方法、地点検索プログラム、および記録媒体の好適な実施の形態を詳細に説明する。
【００１３】
（実施の形態）
（地点検索装置の機能的構成）
この発明の実施の形態にかかる地点検索装置の機能的構成について説明する。図１は、本実施の形態にかかる地点検索装置の機能的構成の一例を示すブロック図である。
【００１４】
図１において、地点検索装置１００は、テーブル記憶部１１０と、キーワード入力部１２０と、設定部１３０と、データベース１４０と、開始入力部１５０と、検索部１６０と、出力部１７０とを備えて構成される。
【００１５】
テーブル記憶部１１０は、検索手法を特定するための属性とキーワードとを対応付けたテーブルを記憶する。検索手法は、地点の名称を対象として地点の検索をおこなう名称検索、地点のヨミを対象として地点の検索をおこなうヨミ検索、地点のジャンルを対象として検索をおこなうジャンル検索、地点の住所またはエリアを対象として地点の検索をおこなう住所エリア検索、地点の電話番号を対象として地点の検索をおこなう電話番号検索、などが挙げられる。
【００１６】
属性は、検索手法を特定するためのものであり、具体的には、名称検索を特定する名称属性、ヨミ検索を特定するヨミ属性、ジャンル検索を特定するジャンル属性、住所エリア検索を特定する住所エリア属性、電話番号検索を特定する電話番号属性、などが挙げられる。
【００１７】
キーワードは、具体的には、たとえば、複数の文字からなる単語であり、１文字の仮名、アルファベット、数字なども含む。テーブル記憶部１１０は、あるキーワードを検索する際に検索される可能性の高い属性を当該キーワードに対応付けて記憶する。具体例を挙げると、テーブル記憶部１１０は、「東京」や「さいたま」など地名を表すキーワードは、住所エリア属性に対応して記憶している。また、「ホテル」など施設の分類を表すキーワードは、ジャンル属性に対応して記憶している。さらに、「さいたま○×ホテル」など固有名称を示すキーワードは、特定の施設名称を表すため、名称属性として記憶している。
【００１８】
キーワード入力部１２０は、キーワードの入力をユーザから受け付ける。キーワード入力部１２０は、複数の入力キーワードを受け付け可能とする。キーワード入力部１２０は、具体的には、入力ボタンやタッチパネルを用いて、キーワードの入力を受け付ける。なお、キーワード入力部１２０へのキーワードの入力に際し、ユーザからの検索手法や属性などの設定をおこなう必要はなく、任意のキーワードを入力できるようになっている。
【００１９】
設定部１３０は、テーブル記憶部１１０に記憶されるテーブルを参照して、キーワード入力部１２０にて入力されたキーワード（以下「入力キーワード」という）に属性を設定する。具体的には、設定部１３０は、入力キーワードがテーブル内のどのキーワードに合致するかを判定するとともに、合致したキーワードに対応する属性を、入力キーワードに設定する。
【００２０】
たとえば、「さいたま」という入力キーワードが入力された場合、テーブルを参照することにより、当該キーワードに住所エリア属性が設定される。また、「さいたま○×ホテル」という入力キーワードが入力された場合、テーブルを参照することにより、当該キーワードに名称属性が設定される。
【００２１】
また、設定部１３０は、キーワード入力部１２０に入力キーワードが複数入力された場合に、テーブル記憶部１１０に記憶されるテーブルを参照して、各入力キーワードに属性を設定する。
【００２２】
データベース１４０は、検索対象となる複数の地点に関する情報を記憶する。地点に関する情報は、具体的には、当該地点の、施設名称、施設名称のヨミ、ジャンル名称、住所名称、緯度経度、電話番号、エリアコード、ジャンルコード、などの情報である。開始入力部１５０は、検索開始の指示をユーザから受け付ける。開始入力部１５０は、具体的には、入力ボタンやタッチパネルからなる。
【００２３】
検索部１６０は、開始入力部１５０を介して検索開始の指示を受け付けた際に、入力キーワードに設定されている属性により特定される検索手法を用いて当該入力キーワードに該当する地点をデータベース１４０から検索する。たとえば、「さいたま」という入力キーワードが入力されている場合、検索部１６０は、住所エリア検索による検索手法を用いて、検索をおこなう。出力部１７０は、検索部１６０による検索結果を表示出力する。出力部１７０は、具体的には、ディスプレイやスピーカなどからなる。
【００２４】
検索部１６０は、複数の属性のうちの特定の属性が設定されたキーワードのみが受け付けられた場合と、特定の属性が設定されたキーワードと他の属性が設定されたキーワードが受け付けられた場合とで、特定の属性が設定されたキーワードに該当する地点をデータベース１４０から検索する検索手法を異ならせる。すなわち、検索部１６０は、第１の検索手法による検索と、第２の検索手法による検索とのうち、いずれか一方の検索をおこなう。第１の検索手法は、ある特定の属性（属性Ａ）が設定されたキーワード単体を検索する場合の手法である。一方、第２の検索手法は、属性Ａおよび他の属性がそれぞれ設定された複数のキーワードを用いて検索する場合の検索手法である。
【００２５】
具体例を挙げると、特定の属性は、住所エリア属性およびジャンル属性である。まず、住所エリア属性について説明する。住所エリア属性は、地点の住所を対象として地点の検索をおこなう住所検索、または地点のエリアを対象として検索をおこなうエリア検索を特定する属性である。
【００２６】
この場合、検索部１６０は、住所エリア属性が設定されたキーワードのみが受け付けられた場合には、住所検索で当該キーワードに該当する地点をデータベース１４０から検索する。住所検索の具体例を挙げると、キーワードとして住所や所在地などが地番まで入力されている場合には、当該住所などに該当する地点を検索する。また、キーワードとして「埼玉」や「川越」などの都道府県や市区町村などを示す文字のみが入力された場合、予め設定された代表地点を検索し、たとえば、都道府県庁や役所（役場）を検索する。
【００２７】
一方、住所エリア属性が設定された第１キーワードと他の属性が設定された第２キーワードとが受け付けられた場合には、検索部１６０は、エリア検索により当該第１キーワードに該当し、かつ、当該他の属性により特定される検索手法を用いて当該第２キーワードに該当する地点をデータベース１４０から検索する。
【００２８】
ここでいう他の属性は、地点の名称を対象として地点の検索をおこなう名称検索を特定する名称属性、地点のヨミを対象として地点の検索をおこなうヨミ検索を特定するヨミ属性、地点のジャンルを対象として検索をおこなうジャンル検索を特定するジャンル属性および地点の電話番号を対象として地点の検索をおこなう電話番号検索を特定する電話番号属性のうち、少なくともいずれか一つを含む。
【００２９】
ここで、住所エリア属性が設定された第１キーワードと、他の属性が設定された第２キーワードとを用いて検索をおこなう場合の具体例について説明する。第２キーワードに名称属性が設定されている場合は、第１キーワードに該当するエリア内を対象として、第２キーワードに該当する名称の検索をおこなう。すなわち、第１キーワードとしてのエリアが「埼玉」であり、第２キーワードとしての施設名が「Ａ書店」とした場合、埼玉県内の「Ａ書店」と名の付く施設を検索する。
【００３０】
また、第２キーワードにヨミ属性が設定されている場合は、第１キーワードに該当するエリア内を対象として、第２キーワードに該当するヨミの検索をおこなう。すなわち、第１キーワードとしてのエリアが「埼玉」であり、第２キーワードとしてのヨミが「エイショテン」とした場合、埼玉県内の「エイショテン」というヨミの施設を検索する。
【００３１】
また、第２キーワードにジャンル属性が設定されている場合は、第１キーワードに該当するエリア内を対象として、第２キーワードに該当するジャンルの検索をおこなう。すなわち、第１キーワードとしてのエリアが「埼玉」であり、第２キーワードとしてのジャンルが「書店」とした場合、埼玉県内の書店を検索する。
【００３２】
また、第２キーワードに電話番号属性が設定されている場合は、第１キーワードに該当するエリア内を対象として、第２キーワードに該当する電話番号の検索をおこなう。すなわち、第１キーワードとしてのエリアが「埼玉」であり、第２キーワードとしての電話番号が川越市の市外局番である「０４９２」とした場合、川越市を検索する。なお、「川越市」のみを検索した場合、予め設定された代表地点を検索し、たとえば、川越市役所を検索する。
【００３３】
また、第１キーワードや第２キーワードに対して属性の異なる第３のキーワードや第４のキーワードを受け付けて属性を設定することも可能であり、この場合、検索部１６０は、各キーワードに設定された属性によって特定される検索手法を用いて、各キーワードに該当する地点を検索する。具体例を挙げると、第１キーワードとしてのエリアが「埼玉」であり、第２キーワードとしてのジャンルが「書店」であり、第３キーワードとしての名称が「Ａ」である場合、埼玉県内の書店のうち、「Ａ」と名の付く書店を検索する。
【００３４】
つぎに、ジャンル属性について説明する。ジャンル属性は、現在位置周辺の地点のジャンルを対象として地点の検索をおこなう第１ジャンル検索、または全ての地点のジャンルを対象として検索をおこなう第２ジャンル検索を特定する属性である。
【００３５】
この場合、検索部１６０は、ジャンル属性が設定されたキーワードのみが受け付けられた場合には、第１ジャンル検索により当該キーワードに該当する地点をデータベース１４０から検索する。第１ジャンル検索の具体例を挙げると、キーワードとして「書店」が入力されている場合には、現在位置周辺の書店を検索する。
【００３６】
一方、ジャンル属性が設定された第１キーワードと他の属性が設定された第２キーワードとが受け付けられた場合には、検索部１６０は、第２ジャンル検索により当該第１キーワードに該当し、かつ、当該他の属性により特定される検索手法を用いて当該第２キーワードに該当する地点をデータベース１４０から検索する。
【００３７】
ここでいう他の属性は、地点の名称を対象として地点の検索をおこなう名称検索を特定する名称属性、地点のヨミを対象として地点の検索をおこなうヨミ検索を特定するヨミ属性、地点の住所またはエリアを対象として検索をおこなう住所エリア検索を特定する住所エリア属性および地点の電話番号を対象として地点の検索をおこなう電話番号検索を特定する電話番号属性のうち、少なくともいずれか一つを含む。
【００３８】
ここで、ジャンル属性が設定された第１キーワードと、他の属性が設定された第２キーワードとを用いて検索をおこなう場合の具体例について説明する。第２キーワードに名称属性が設定されている場合は、第１キーワードに該当するジャンルを対象として、第２キーワードに該当する名称の検索をおこなう。すなわち、第１キーワードとしてのジャンルが「書店」であり、第２キーワードとしての施設名を「川越」とした場合、「川越」と名の付く書店として、たとえば、「Ａ書店川越店」、「Ｂ書房川越店」、「川越ＢＯＯＫ」などを検索する。
【００３９】
また、第２キーワードにヨミ属性が設定されている場合は、第１キーワードに該当するジャンルを対象として、第２キーワードに該当するヨミの検索をおこなう。すなわち、第１キーワードとしてのジャンルが「書店」であり、第２キーワードとしてのヨミが「カワゴエ」とした場合、「カワゴエ」というヨミが含まれる書店として、たとえば、「本のＫＡＷＡＧＯＥ」などの書店を検索する。
【００４０】
また、第２キーワードに住所エリア属性が設定されている場合は、第１キーワードに該当するジャンルを対象として、第２キーワードに該当する住所エリアの検索をおこなう。すなわち、第１キーワードとしてのジャンルが「書店」であり、第２キーワードとしての住所エリアが「埼玉」とした場合、埼玉県内の書店を検索する。
【００４１】
また、第２キーワードに電話番号属性が設定されている場合は、第１キーワードに該当するジャンルを対象として、第２キーワードに該当する電話番号の検索をおこなう。すなわち、第１キーワードとしてのジャンルが「書店」であり、第２キーワードとしての電話番号が川越市の市外局番である「０４９２」とした場合、電話番号の最初が０４９２として登録されている（川越市内に存在する）書店を検索する。
【００４２】
また、第１キーワードや第２キーワードに対して属性の異なる第３のキーワードや第４のキーワードを受け付けて属性を設定することも可能であり、この場合、検索部１６０は、各キーワードに設定された属性によって特定される検索手法を用いて、各キーワードに該当する地点を検索する。具体例を挙げると、第１キーワードとしてのジャンルが「書店」であり、第２キーワードとしての住所エリアが「埼玉」であり、第３キーワードとしての名称が「Ａ」である場合、埼玉県内の書店のうち、「Ａ」と名の付く書店を検索する。
【００４３】
（地点検索装置の地点検索処理手順）
つぎに、図２を用いて、地点検索装置１００の地点検索処理手順について説明する。図２は、本実施の形態にかかる地点検索装置１００の地点検索処理手順の一例を示すフローチャートである。
【００４４】
図２のフローチャートにおいて、地点検索装置１００は、キーワード入力部１２０にキーワードが入力されたか否かを判断する（ステップＳ２０１）。キーワードが入力されるまで待機状態にあり（ステップＳ２０１：Ｎｏのループ）、キーワードが入力されると（ステップＳ２０１：Ｙｅｓ）、設定部１３０が入力キーワードに属性を設定する（ステップＳ２０２）。このあと、さらにキーワードが入力されたか否かを判断する（ステップＳ２０３）。
【００４５】
さらにキーワードが入力された場合（ステップＳ２０３：Ｙｅｓ）、ステップＳ２０２における属性の設定をおこなう。一方、さらにキーワードが入力されない場合（ステップＳ２０３：Ｎｏ）、入力キーワードに特定の属性が設定されているか否かを判断する（ステップＳ２０４）。入力キーワードに特定の属性が設定されていると判断した場合（ステップＳ２０４：Ｙｅｓ）、入力キーワードが複数あるか否かを判断する（ステップＳ２０５）。
【００４６】
入力キーワードが複数あると判断した場合（ステップＳ２０５：Ｙｅｓ）、すなわち、入力キーワードが複数入力され、当該複数のキーワードにそれぞれ異なる属性が設定された場合、検索部１６０により、第２の検索手法を用いて入力キーワードに該当する地点を検索する（ステップＳ２０６）。そして、出力部１７０から検索結果を出力し（ステップＳ２０７）、一連の処理を終了する。
【００４７】
一方、ステップＳ２０５において、入力キーワードが単数であると判断した場合（ステップＳ２０５：Ｎｏ）、第１の検索手法を用いて入力キーワードに該当する地点を検索し（ステップＳ２０８）、ステップＳ２０７における検索結果の出力をおこなう。また、ステップＳ２０４において、特定の属性が設定されていないと判断した場合（ステップＳ２０４：Ｎｏ）、設定された属性により特定される検索手法を用いて、入力キーワードに該当する地点を検索し（ステップＳ２０９）、ステップＳ２０７における検索結果の出力をおこなう。
【００４８】
以上説明したように、本実施の形態にかかる地点検索装置１００は、複数の入力キーワードに属性を設定し、特定の属性が設定された入力キーワードのみが受け付けられた場合と、特定の属性が設定されたキーワードと他の属性が設定されたキーワードが受け付けられた場合とで、検索手法を異ならせるようにした。したがって、検索をおこなうにあたりユーザからの検索手法の設定を要することのない、所謂フリーキーワードによる検索をおこなうことができる。
【００４９】
これにより、ユーザは、検索手法を設定することによる煩わしさを軽減できるとともに、ユーザによる検索手法の誤認に伴う誤った検索を抑止することができることにより、的確な検索結果を得ることができる。特に、複数のキーワードを用いて検索をおこなう場合には、どのキーワードがどの検索手法に該当するのかといったことをユーザが判断する必要がなく、検索時におけるユーザの負担を軽減することができる。
【００５０】
また、住所エリア属性が設定されたキーワードのみが受け付けられた場合には、住所検索により検索をおこなう一方、住所エリア属性が設定された第１キーワードと他の属性が設定された第２キーワードとが受け付けられた場合には、エリア検索による検索手法を用いて第１キーワードに該当し、かつ、他の属性により特定される検索手法を用いて第２キーワードに該当する地点を検索するようにすれば、入力キーワードの属性および数に応じて、住所検索またはエリア検索による検索をおこなうことができる。したがって、住所検索またはエリア検索をユーザが判断することなく、ユーザが所望する検索をおこなうことができる。これにより、迅速且つ的確に検索結果を得ることができる。
【００５１】
また、他の属性を、名称属性、ヨミ属性、ジャンル属性、および電話番号属性のうち、少なくともいずれか一つを含むようにすれば、従来のように、ユーザがエリアを指定するといった煩雑な操作をおこなうことなく、上記他の属性が設定された入力キーワードを受け付けた場合には、入力したキーワードのエリアに絞り、上記他の属性による検索手法を用いて検索することができる。
【００５２】
また、ジャンル属性が設定されたキーワードのみが受け付けられた場合には、周辺検索をおこなう第１ジャンル検索により検索をおこなう一方、ジャンル属性が設定された第１キーワードと他の属性が設定された第２キーワードとが受け付けられた場合には、全ての地点のジャンルを対象とした第２ジャンル検索により第１キーワードに該当し、かつ、他の属性により特定される検索手法を用いて第２キーワードに該当する地点を検索するようにすれば、入力キーワードの属性および数に応じて、第１ジャンル検索または第２ジャンル検索による検索をおこなうことができる。したがって、第１ジャンル検索または第２ジャンル検索をユーザが判断することなく、ユーザが所望する検索をおこなうことができる。これにより、迅速且つ的確に検索結果を得ることができる。
【００５３】
また、他の属性を、名称属性、ヨミ属性、住所エリア属性、および電話番号属性のうち、少なくともいずれか一つを含むようにすれば、従来のように、ユーザが第１ジャンル検索または第２ジャンル検索を指定するといった煩雑な操作をおこなうことなく、上記他の属性が設定された入力キーワードを受け付けた場合には、第２のジャンル検索を用いるとともに、上記他の属性による検索手法を用いて検索することができる。
【実施例】
【００５４】
以下に、本発明の実施例について説明する。本実施例では、車両に搭載されるナビゲーション装置によって、本発明の地点検索装置１００を実施した場合の一例について説明する。
【００５５】
（ナビゲーション装置のハードウェア構成）
図３を用いて、本実施例にかかるナビゲーション装置のハードウェア構成について説明する。図３は、本実施例にかかるナビゲーション装置のハードウェア構成の一例を示すブロック図である。
【００５６】
図３において、ナビゲーション装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、スピーカ３０９と、入力デバイス３１０と、映像Ｉ／Ｆ３１１と、ディスプレイ３１２と、通信Ｉ／Ｆ３１３と、ＧＰＳユニット３１４と、各種センサ３１５とを備えている。また、各構成部３０１〜３１５はバス３２０によってそれぞれ接続されている。
【００５７】
ＣＰＵ３０１は、ナビゲーション装置３００の全体の制御を司る。ＲＯＭ３０２は、ブートプログラム、現在位置算出プログラム、経路探索プログラム、経路誘導プログラム、キーワード入力プログラムと、属性設定プログラム、情報検索プログラムなどの各種プログラムを記録している。また、ＲＡＭ３０３は、ＣＰＵ３０１のワークエリアとして使用される。
【００５８】
現在位置算出プログラムは、たとえば、後述するＧＰＳユニット３１４および各種センサ３１５の出力情報に基づいて、車両の現在位置（ナビゲーション装置３００の現在位置）を算出させる。
【００５９】
経路探索プログラムは、後述する磁気ディスク３０５に記録されている地図データなどを利用して、出発地から目的地までの最適な経路を探索させる。ここで、最適な経路とは、目的地までの最短（または最速）経路やユーザが指定した条件に最も合致する経路などである。また、目的地のみならず、立ち寄り地点や休憩地点までの経路を探索してもよい。探索された誘導経路は、ＣＰＵ３０１を介して音声Ｉ／Ｆ３０８や映像Ｉ／Ｆ３１１へ出力される。
【００６０】
経路誘導プログラムは、経路探索プログラムを実行することによって探索された誘導経路情報、現在位置算出プログラムを実行することによって算出された車両の現在位置情報、磁気ディスク３０５から読み出された地図データに基づいて、リアルタイムな経路誘導情報を生成させる。生成された経路誘導情報は、ＣＰＵ３０１を介して音声Ｉ／Ｆ３０８や映像Ｉ／Ｆ３１１へ出力される。
【００６１】
キーワード入力プログラムは、ユーザのキーワード入力をサポートするためのプログラムであり、入力されたキーワードを確定するに際し、入力されたキーワードに対して推測される候補キーワードを抽出して提示し、提示した候補キーワードのうち、ユーザから受け付けたものを入力キーワードとして出力するプログラムである。なお、キーワードの入力および入力キーワードの受け付けは、入力デバイス３１０を用いておこなわれる。
【００６２】
また、候補キーワードの提示は、スピーカ３０９やディスプレイ３１２からおこなわれる。なお、図１に示したキーワード入力部１２０は、ＣＰＵ３０１と入力デバイス３１０と、ディスプレイ３１２によって実現される。すなわち、ＣＰＵ３０１がキーワード入力プログラムを実行し、ディスプレイ３１２に表示した候補キーワードのうち、入力デバイス３１０によってユーザからの入力を受け付けることにより、キーワード入力部１２０の機能を実現する。
【００６３】
属性設定プログラムは、入力キーワードに属性を設定するプログラムである。また、複数の入力キーワードを受け付けた場合には、各入力キーワードに属性を設定する。設定された属性は、ＣＰＵ３０１を介して映像Ｉ／Ｆ３１１へ出力される。なお、図１に示した設定部１３０は、ＣＰＵ３０１によって実現される。すなわち、ＣＰＵ３０１が属性設定プログラムを実行することにより、設定部１３０の機能を実現する。
【００６４】
情報検索プログラムは、属性設定プログラムによって属性が設定された入力キーワードに該当する地点を検索するプログラムである。また、情報検索プログラムは、複数の属性のうち特定の属性（住所エリア属性またはジャンル属性）が設定されたキーワードのみに対する検索をおこなう場合と、特定の属性が設定されたキーワードと他の属性が設定されたキーワードとに対する検索をおこなう場合とで、検索手法を異ならせて検索をおこなうプログラムである。検索された検索結果は、ＣＰＵ３０１を介して映像Ｉ／Ｆ３１１へ出力される。なお、図１に示した検索部１６０は、ＣＰＵ３０１によって実現される。すなわち、ＣＰＵ３０１が情報検索プログラムを実行することにより、検索部１６０の機能を実現する。
【００６５】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００６６】
磁気ディスク３０５に記録される情報の一例としては、各地点に関する情報を登録した検索用テーブルや、検索手法を特定するための属性とキーワードとを対応付けた属性テーブルのほか、ユーザからの属性の変更を受け付けた際の履歴情報などを記録する。検索用テーブルは、施設ごとの名称や位置に関する情報、施設ごとの住所情報、施設のジャンル情報などを記録したものであり、図１に示したデータベース１４０に記録されるものである。なお、検索用テーブルの詳細については、図５を用いて後述する。
【００６７】
また、属性テーブルは、属性ごとにキーワードを対応付けて分類したテーブルであり、図１に示したテーブル記憶部１１０に記録されるものである。なお、属性テーブルの詳細については、図４を用いて後述する。また、履歴情報は、たとえば、ユーザからの選択により、入力キーワードに設定する属性を変更した際の履歴を示したものである。なお、履歴テーブルの詳細については、図４を用いて後述する。
【００６８】
光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータの読み出される着脱自在な記録媒体である。光ディスク３０７は、書き込み可能な記録媒体を利用することもできる。また、この着脱可能な記録媒体として、光ディスク３０７のほか、ＭＯ、メモリカードなどであってもよい。
【００６９】
音声Ｉ／Ｆ３０８は、音声出力用のスピーカ３０９に接続される。スピーカ３０９は、音声を出力する。入力デバイス３１０は、文字、数値、各種指示などの入力のための複数のキーを備えたリモコン、キーボード、マウス、タッチパネルなどが挙げられる。入力デバイス３１０は、リモコン、キーボード、マウス、タッチパネルのうち、いずれか一つの形態によって実現されてもよいし、複数の形態によって実現してもよい。
【００７０】
この入力デバイス３１０を用い、ユーザからキーワードの入力や、検索開始の入力のほか、属性を変更する際の入力などがおこなわれる。なお、図１に示したキーワード入力部１２０と、開始入力部１５０とは、入力デバイス３１０によって実現される。
【００７１】
映像Ｉ／Ｆ３１１は、ディスプレイ３１２に接続される。映像Ｉ／Ｆ３１１は、具体的には、たとえば、ディスプレイ３１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１２を表示制御する制御ＩＣなどによって構成される。
【００７２】
ディスプレイ３１２には、入力キーワード、候補キーワード、属性、検索結果などのデータが表示される。アイコン、カーソル、メニュー、ウインドウ、あるいは文字や画像などの各種データが表示される。
【００７３】
このディスプレイ３１２は、たとえば、ＣＲＴ、ＴＦＴ液晶ディスプレイ、プラズマディスプレイなどを採用することができる。ディスプレイ３１２は、たとえば、車両のダッシュボード付近に設置される。ディスプレイ３１２は、車両のダッシュボード付近のほか、車両の後部座席周辺などに設置するなどして、車両内に複数設置してもよい。なお、図１に示した出力部１７０は、ディスプレイ３１２またはスピーカ３０９によって実現される。
【００７４】
通信Ｉ／Ｆ３１３は、無線を介してネットワークに接続され、ナビゲーション装置３００とＣＰＵ３０１とのインターフェースとして機能する。通信Ｉ／Ｆ３１３は、さらに、無線を介してインターネットなどの通信網に接続され、この通信網とＣＰＵ３０１とのインターフェースとしても機能する。
【００７５】
ＧＰＳユニット３１４は、ＧＰＳ衛星からの電波を受信し、車両の現在位置を示す情報を出力する。ＧＰＳユニット３１４の出力情報は、後述する各種センサ３１５の出力値とともに、ＣＰＵ３０１による車両の現在位置の算出に際して利用される。現在位置を示す情報は、たとえば緯度・経度、高度などの、地図データ上の１点を特定する情報である。
【００７６】
各種センサ３１５は、車速センサ、加速度センサ、角速度センサなどの、車両の位置や挙動を判断することが可能な情報を出力する。各種センサ３１５の出力値は、ＣＰＵ３０１による車両の現在位置の算出や、速度や方位の変化量の測定などに用いられる。
【００７７】
図１に示した地点検索装置１００が備えるテーブル記憶部１１０と、キーワード入力部１２０と、設定部１３０と、データベース１４０と、開始入力部１５０と、検索部１６０と、出力部１７０とは、図３に示したナビゲーション装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、ナビゲーション装置３００における各部を制御することによってその機能を実現する。
【００７８】
すなわち、本実施例のナビゲーション装置３００は、ナビゲーション装置３００における記録媒体としてのＲＯＭ３０２に記録されている各種プログラムを実行することにより、図１に示した地点検索装置１００が備える機能を、図２に示した地点検索処理手順で実行することができる。
【００７９】
（磁気ディスクに記録される属性テーブルの一例）
つぎに、図４を用いて、磁気ディスク３０５に記録される属性テーブルの一例について説明する。図４は、磁気ディスク３０５に記録される属性テーブルの一例を示す説明図である。
【００８０】
図４において、属性テーブル４００は、属性４０１と、キーワード４０２と、ユーザ選択履歴４０３とを示している。属性４０１は、住所エリア検索を特定するための住所エリア属性、ジャンル検索をおこなうためのジャンル属性、名称検索を特定するための名称属性、電話番号検索を特定するための電話番号属性、からなる。
【００８１】
住所エリア属性は、住所エリア属性が設定されたキーワードのみに対する住所検索、住所エリア属性が設定されたキーワードと他の属性が設定されたキーワードとに対するエリア検索、のいずれか一方を特定するための属性である。なお、住所検索は、地点の住所を対象として地点の検索をおこなうものである。エリア検索は、地点のエリアを対象として検索をおこなうものである。
【００８２】
同様に、ジャンル属性は、ジャンル属性が設定されたキーワードのみに対する第１ジャンル検索、ジャンル属性が設定されたキーワードと他の属性が設定されたキーワードとに対する第２ジャンル検索、を特定するための属性である。なお、第１ジャンル検索は、現在位置周辺の地点のジャンルを対象として地点の検索をおこなうものである。第２ジャンル検索は、全ての地点のジャンルを対象として検索をおこなうものである。
【００８３】
名称検索は、地点の名称を対象として地点の検索をおこなうものである。電話番号検索は、地点の電話番号を対象として地点の検索をおこなうものである。なお、属性４０１は、図示していないが、このほかにも、ヨミ検索を特定するためのヨミ属性なども含む。このヨミ検索は、地点のヨミを対象として地点の検索をおこなうものであり、カタカナやひらがなで入力されたキーワードの検索をおこなうものである。具体的には、「東京」という地名に対し、「トウキョウ」や「とうきょう」が入力キーワードとして入力された場合にヨミ属性が設定される。なお、「さいたま」など、予めひらがなとして登録される地名に関しては、当該ひらがなに対して、住所エリア属性が設定される。
【００８４】
キーワード４０２は、属性４０１ごとに予め登録されているワードである。ユーザ選択履歴４０３は、ユーザからの属性の変更を受け付けた際の、変更した属性の履歴情報である。ここで、各属性について具体的に説明する。名称属性には、施設名などの固有名詞が多数記録されており、系列店などの支店名も記録されている。つまり、地図上に存在する固有の施設全てが名称属性に記録されている。
【００８５】
また、住所エリア属性には、地名が記録されている。つまり、地図上に存在する全ての地名が住所エリア属性に記録されている。なお、符号４１０に示すように、ユーザ選択履歴４０３には、「名称」が記録されているが、これは、「埼玉」４１１が入力され、住所エリア属性として判断した際に、ユーザから名称属性として変更されたことを示している。なお、この履歴は、所定期間内の過去の直近のものでもよいし、変更された回数が多いものとしてもよい。また、ジャンル属性には、施設のジャンルが記録されており、系列店などの商号も記録されている。
【００８６】
また、電話番号属性には、キーワード４０２として「０〜９の数字」が示されている。すなわち、数字が入力された場合に、電話番号属性が設定されることを示している。なお、電話番号属性のほかにも、郵便番号属性、マップコード属性などを記録してもよい。また、これら番号属性には、入力キーワードに対して属性を設定する際の優先順位を設定してもよい。
【００８７】
（磁気ディスクに記録される検索用テーブルの一例）
つぎに、図５を用いて、磁気ディスク３０５に記録される検索用テーブルの一例について説明する。図５は、磁気ディスク３０５に記録される検索用テーブルの一例を示す説明図である。
【００８８】
図５に示す検索用テーブルは、地点情報テーブル５１０と、住所テーブル５２０と、ジャンルテーブル５３０とからなる。地点情報テーブル５１０は、施設名称５１１、施設ヨミ５１２と、ジャンルコード５１３と、エリアコード５１４と、緯度経度５１５と、電話番号５１６とからなる。
【００８９】
施設名称５１１は、地図上に存在する全ての施設の名称である。施設ヨミ５１２は、施設名称５１１をカタカナで示したものである。ジャンルコード５１３は、施設をジャンル別に分類した際の、各ジャンルに設定される記号である。エリアコード５１４は、所定のエリアごとに設定される記号である。緯度経度５１５は、施設が位置する地点を示している。電話番号５１６は、施設の電話番号を示している。
【００９０】
住所テーブル５２０は、住所名称５２１と、エリアコード５１４と、緯度経度５１５とからなる。住所名称５２１は、地図上に存在する全ての地名である。この住所テーブル５２０は、住所名称５２１ごとにエリアコード５１４と緯度経度５１５とを対応付けて記録している。
【００９１】
ジャンルテーブル５３０は、ジャンル名称５３１と、ジャンルコード５１３とからなる。ジャンル名称５３１は、施設をジャンル別に分類した際の当該分類の名称であり、系列店などの商号も含む。ジャンルテーブル５３０は、ジャンル名称５３１ごとにジャンルコード５１３を対応付けて記録している。
【００９２】
（ナビゲーション装置による属性設定処理の一例）
まず始めに、図６−１および図６−２（以下、図６と称す）を用いて、ナビゲーション装置３００による属性設定処理の一例について説明する。図６は、ナビゲーション装置３００による属性設定処理の一例を示すフローチャートである。なお、図６においては、ユーザからマルチ検索の選択を受け付けたことにより地点検索時における初期画面が予め表示されていることを前提とする。なお、この入力画面については、図７を用いて後述する。
【００９３】
図６において、ナビゲーション装置３００のＣＰＵ３０１は、入力デバイス３１０を用いてユーザからキーワードが入力されたか否かを判断する（ステップＳ６０１）。キーワードが入力されるまで待機状態にあり（ステップＳ６０１：Ｎｏのループ）、キーワードが入力されると（ステップＳ６０１：Ｙｅｓ）、候補キーワードがあるか否かを判断する（ステップＳ６０２）。なお、候補キーワードは、詳細については図８を用いて後述するが、たとえば「さ」が入力された場合に推測される「さいたま」などである。
【００９４】
候補キーワードがあると判断した場合（ステップＳ６０２：Ｙｅｓ）、候補キーワードを、入力ボックスの下に表示される推奨変換候補ボックスに表示する（ステップＳ６０３）。そして、推奨変換候補ボックスに表示した候補キーワードの中から、ユーザによるキーワードの選択を受け付けたか否かを判断する（ステップＳ６０４）。候補キーワードの選択を受け付けた場合（ステップＳ６０４：Ｙｅｓ）、受け付けた候補キーワードを入力キーワードとして入力ボックスに表示する（ステップＳ６０５）。そして、図４に示した属性テーブル４００を用いて、入力ボックスに表示されたキーワードに属性を設定する（ステップＳ６０６）。
【００９５】
このあと、引き続きキーワードの入力があるか否かを判断する（ステップＳ６０７）。キーワードの入力がある場合（ステップＳ６０７：Ｙｅｓ）、ステップＳ６０２に移行する。ステップＳ６０２において、候補キーワードがないと判断した場合（ステップＳ６０２：Ｎｏ）、具体的には、たとえば、「ん」や「っ」などで始まるキーワードが入力された場合、ステップＳ６０６に移行し、当該キーワードを入力キーワードとして属性を設定する。なお、このとき設定する属性は、たとえば、名称属性とするなどして予め定めておけばよい。
【００９６】
また、ステップＳ６０４において候補キーワードの選択を受け付けない場合（ステップＳ６０４：Ｎｏ）、ステップＳ６０６に移行し、入力ボックスに表示されているキーワードを入力キーワードとして属性を設定する。ステップＳ６０７において、引き続きキーワードの入力がないと判断した場合（ステップＳ６０７：Ｎｏ）、ユーザから属性の変更を受け付けたか否かを判断する（ステップＳ６０８）。
【００９７】
属性の変更を受け付けると（ステップＳ６０８：Ｙｅｓ）、受け付けた属性に変更する（ステップＳ６０９）。そして、属性が設定された入力キーワードのほかに、他のキーワードを入力する旨を受け付けたか否かを判断する（ステップＳ６１０）。なお、ステップＳ６１０の判断は、具体的には、図７に示す「追加ボタン」が選択されたか否かの判断である。一方、ステップＳ６０８において、属性の変更を受け付けない場合（ステップＳ６０８：Ｎｏ）、ステップＳ６１０に移行する。
【００９８】
他のキーワードを入力する旨を受け付けたと判断した場合（ステップＳ６１０：Ｙｅｓ）、属性が設定された入力キーワードを入力完了ボックスに表示させる（ステップＳ６１１）。なお、入力完了ボックスの表示については、図１２を用いて後述する。このあと、他のキーワードの入力を受け付け（ステップＳ６１２）、ステップＳ６０２に移行する。
【００９９】
一方、ステップＳ６１０において、他のキーワードを入力する旨を受け付けない場合（ステップＳ６１０：Ｎｏ）、検索開始の入力を受け付けたか否かを判断する（ステップＳ６１３）。検索開始の入力を受け付けるまで待機状態にあり（ステップＳ６１３：Ｎｏのループ）、検索開始の入力を受け付けると（ステップＳ６１３：Ｙｅｓ）、属性ごとのテーブルを用いて検索をおこなう（ステップＳ６１４）。なお、検索処理の詳細については、図１４−１、図１４−２、図１５を用いて後述する。このあと、ディスプレイ３１２に検索結果を表示し（ステップＳ６１５）、一連の処理を終了する。
【０１００】
（地点検索時における入力画面の一例）
つぎに、図７を用いて、地点検索時における入力画面の一例について説明する。図７は、地点検索時における入力画面の一例を示す説明図である。なお、図７に示す説明図は、図６に示したフローチャートの前提として表示される画面を示す。
【０１０１】
図７において、ディスプレイ３１２には、５０音キー７０１と、入力ボックス７０２と、推測変換候補ボックス７０３と、属性タブ７０４と、追加ボタン７０５と、検索開始ボタン７０６とが表示されている。５０音キー７０１には、日本語のひらがなが一覧表記されており、タッチパネルにより、ユーザからの入力を受け付けるようになっている。入力ボックス７０２は、５０音キー７０１から入力されたキーワードを表示する。
【０１０２】
推測変換候補ボックス７０３は、５０音キー７０１から入力された文字を基に、候補キーワードを表示する。属性タブ７０４は、入力キーワードに設定する属性を示すものであり、５０音キー７０１から入力された文字に属性が設定された際に、設定された属性に対応するタブがアクティブに表示される。追加ボタン７０５は、属性の異なる他のキーワードを入力する場合に、ユーザからの選択を受け付ける。検索開始ボタン７０６は、入力ボックス７０２に表示されている入力キーワードに該当する地点について検索の開始を受け付ける。
【０１０３】
（ユーザからキーワードの入力を受け付けた際の表示画面の一例）
つぎに、図８を用いて、ユーザからキーワードの入力を受け付けた際の表示画面の一例について説明する。図８は、ユーザからキーワードの入力を受け付けた際の表示画面の一例を示す説明図である。なお、図８に示す説明図は、図６に示したフローチャートのステップＳ６０３において表示される画面を示す。
【０１０４】
図８において、ユーザが５０音キー７０１の「さ」を入力したことにより、入力ボックス７０２には、「さ」が表示されている。推測変換候補ボックス７０３には、「さ」から推測される候補キーワードが表示されており、たとえば、地名である「さいたま」、「佐賀」のほか、コンビニエンスストアのジャンルの「サークルストア」などが表示される。なお、この候補キーワードは、たとえば、ユーザが「さ」を入力した際の直近の履歴を基に抽出されたキーワードである。
【０１０５】
推測変換候補ボックス７０３に表示される候補キーワードは、タッチパネルによってユーザからの選択を受け付けるようになっている。この表示画面において、たとえば、ユーザが推測変換候補ボックス７０３の中から「さいたま」を選択したとすると、図９に示す表示画面に移行する。
【０１０６】
（入力キーワードに属性を設定した際の表示画面の一例）
つぎに、図９を用いて、入力キーワードに属性を設定した際の表示画面の一例について説明する。図９は、入力キーワードに属性を設定した際の表示画面の一例を示す説明図である。なお、図９に示す説明図は、図６に示したフローチャートのステップＳ６０６において表示される画面を示す。
【０１０７】
図９において、入力ボックス７０２には、「さいたま」が表示されている。そして、符号９００に示すように、「さいたま」に対応する住所エリア属性を示す属性タブ７０４がアクティブになって表示されている。また、推測変換候補ボックス７０３には、「さいたま」の後に続いて入力が推測される候補キーワードが表示されている。この表示画面において、推測変換候補ボックス７０３の中から、ユーザが「国立美術館」を選択したとすると、図１０に示す表示画面に移行する。
【０１０８】
（キーワードが変更されたことにより属性を変更した際の表示画面の一例）
つぎに、図１０を用いて、キーワードが変更されたことにより属性を変更した際の表示画面の一例について説明する。図１０は、キーワードが変更されたことにより属性を変更した際の表示画面の一例を示す説明図である。なお、図１０に示す説明図は、図６に示したフローチャートにおいて、引き続き入力があった場合の（ステップＳ６０７：Ｙｅｓ）、ステップＳ６０６において表示される画面を示す。
【０１０９】
図１０において、入力ボックス７０２には、「さいたま国立美術館」が入力されている。そして、符号１０００に示すように、「さいたま国立美術館」に対応する名称属性を示す属性タブ７０４がアクティブになって表示されている。この表示画面において、ユーザにより検索開始ボタン７０６が選択されると、「さいたま国立美術館」に該当する地点の名称検索がおこなわれる。一方、この表示画面において、追加ボタン７０５が選択されると図１１に示す表示画面に移行する。
【０１１０】
（ユーザの選択により属性を変更した際の表示画面の一例）
つぎに、図１１を用いて、ユーザの選択により属性を変更した際の表示画面の一例について説明する。図１１は、ユーザの選択により属性を変更した際の表示画面の一例を示す説明図である。なお、図１１に示す説明図は、図６に示したフローチャートにおいて、引き続き入力があった場合の（ステップＳ６０７：Ｙｅｓ）、ステップＳ６０９において表示される画面を示す。
【０１１１】
図１１において、ユーザがタッチパネルの属性タブ７０４のうち、ジャンル属性を示す項目を選択したことにより、「さいたま国立美術館」がジャンル属性に設定されるとともに、符号１１００に示すように、ジャンル属性を示す属性タブ７０４がアクティブになって表示されている。なお、この表示画面において、ユーザが名称属性を示す属性タブ７０４を選択することによって、再度、名称属性に設定することも可能である。また、住所エリア属性、ヨミ（仮名）属性、または電話番号属性を示す属性タブ７０４を選択すると、それぞれ対応する属性に設定することも可能になっている。なお、たとえば、「さいたま国立美術館」にジャンル属性や電話番号属性を設定し、ジャンル検索や電話番号検索をおこなったとしても、検索結果としては該当なしという検索結果となる。
【０１１２】
（複数の入力キーワードに属性を設定した際の表示画面の一例）
つぎに、図１２を用いて、複数の入力キーワードに属性を設定した際の表示画面の一例について説明する。図１２は、複数の入力キーワードに属性を設定した際の表示画面の一例を示す説明図である。なお、図１２に示す説明図は、図６に示したフローチャートにおいて、ステップＳ６１１およびステップＳ６１２において表示される画面を示す。なお、図１２に示す表示画面は、図８〜１１にて示したキーワードとは無関係の画面を示している。
【０１１３】
図１２において、表示画面には、入力完了ボックス１２０１，１２０２が表示されている。この入力完了ボックス１２０１には、「さいたま」という入力キーワードに住所エリア属性が設定されている旨が表示されている。これは、入力ボックス７０２に「さいたま」の入力キーワードが入力され、当該入力キーワードに住所エリア属性が設定されたことを示している。
【０１１４】
さらに、入力完了ボックス１２０２には、「競技場」の入力キーワードにジャンル属性が設定されている旨が表示されている。これは、「さいたま」が入力された後に、ユーザから追加ボタン７０５が選択され、「競技場」の入力キーワードが入力されたことにより、当該入力キーワードにジャンル属性が設定されたことを示している。
【０１１５】
また、この表示画面において、入力ボックス７０２には、「浦和」の入力キーワードが入力されており、符号１２０３に示すように、名称属性を示す属性タブ７０４がアクティブになって表示されている。なお、「浦和」のキーワードは、本来であれば住所エリア属性が設定されるが、ここでは名称属性が設定されている。これは、住所エリア属性として既に「さいたま」が登録されていることにより、住所属性の入力を受け付けないように予め設定しているためである。なお、住所エリア属性が既に登録されている場合であっても、再度、住所エリア属性の入力を受け付け可能に予め設定しておくことも可能である。
【０１１６】
この表示画面において、ユーザが検索開始ボタン７０６を選択すると、３つの入力キーワードについて、設定されている各属性により、住所エリア検索、ジャンル検索、および名称検索がおこなわれる。なお、この検索は、特定の属性が設定されたキーワードと他の属性が設定されたキーワードとが受け付けられた場合の検索に相当する。住所エリア検索、ジャンル検索、および名称検索、の処理については、図１４−１、図１４−２、図１５を用いて後述する。
【０１１７】
上述した処理によれば、入力キーワードに属性を設定し、当該属性により特定される検索手法を用いて、当該入力キーワードに該当する地点を検索するようにしたので、検索をおこなうにあたりユーザからの検索手法の設定を要することのない、所謂フリーキーワードによる検索をおこなうことができる。したがって、ユーザは、検索手法を設定することによる煩わしさを低減できるとともに、検索手法の誤認を低減することにより、適正な検索結果を得ることができる。
【０１１８】
上述した属性設定処理および表示画面によれば、入力キーワードに設定されている属性の変更をユーザから受け付けるようにしたので、設定された属性がユーザの所望するものと異なる場合に、ユーザの所望する属性に変更することができる。したがって、ユーザの所望する属性を反映させた適正な検索結果を得ることができる。
【０１１９】
また、属性の変更を受け付けた履歴情報を記憶するようにし、テーブルおよび履歴情報を参照して、入力キーワードに属性を設定するようにしたので、あるキーワードにおいて、テーブルに予め登録されている属性とユーザの所望する属性とが異なるようなことがあっても、毎回ユーザが属性を変更する必要はなく、次回以降の属性の設定時に、ユーザの所望する属性を設定させることができる。
【０１２０】
また、キーワードの入力にあたり、候補キーワードを抽出してユーザに提示し、提示した中から受け付けた候補キーワードを入力キーワードとして出力するようにしたので、ユーザのキーワード入力をサポートすることができ、ユーザの入力操作の負担を軽減することができる。
【０１２１】
（ナビゲーション装置による地点検索処理の一例）
つぎに、図１３−１および図１３−２を用いて、ナビゲーション装置３００による地点検索処理の一例について説明する。図１３−１は、住所エリア属性が設定された場合における地点検索処理の一例を示すフローチャートである。なお、図１３−１においては、入力ボックス７０２にキーワードが入力され、当該キーワードに属性が設定されていることを前提とする。
【０１２２】
図１３−１において、ナビゲーション装置３００のＣＰＵ３０１は、検索開始ボタン７０６（図７参照）が押下されたか否かを判断する（ステップＳ１３０１）。検索開始ボタン７０６が押下されるまで待機状態にあり（ステップＳ１３０１：Ｎｏのループ）、当該ボタンが押下されると（ステップＳ１３０１：Ｙｅｓ）、住所エリア属性が設定されているか否かを判断する（ステップＳ１３０２）。
【０１２３】
住所エリア属性が設定されていると判断した場合（ステップＳ１３０２：Ｙｅｓ）、入力キーワードが複数あるか否かを判断する（ステップＳ１３０３）。なお、入力キーワードが複数ある場合には、入力キーワードごとにそれぞれ異なる属性が設定されているものとする。入力キーワードが複数あると判断した場合（ステップＳ１３０３：Ｙｅｓ）、エリア検索により地点検索処理をおこない（ステップＳ１３０４）、一連の処理を終了する。なお、エリア探索による地点検索処理については、図１４−１を用いて後述する。
【０１２４】
一方、ステップＳ１３０３において、入力キーワードが単数であると判断した場合（ステップＳ１３０３：Ｎｏ）、住所エリア属性が設定されている入力キーワードと住所テーブル５２０（図５参照）中の住所名称とを照合する（ステップＳ１３０５）。そして、照合の結果、一致するものがあったか否かを判断する（ステップＳ１３０６）。一致するものがあった場合（ステップＳ１３０６：Ｙｅｓ）、一致する住所名称の緯度経度情報を抽出する（ステップＳ１３０７）。
【０１２５】
そして、抽出した緯度経度情報（地点情報）を検索結果として出力し（ステップＳ１３０８）、一連の処理を終了する。なお、出力の形式としては、たとえば、検索結果を地図画面上に地点を示すマークとして表示することが挙げられる。一方、ステップＳ１３０７において、入力キーワードと住所テーブル５２０中の住所名称との照合の結果、一致するものがないと判断した場合（ステップＳ１３０６：Ｎｏ）、該当する地点がない旨を出力し（ステップＳ１３０９）、一連の処理を終了する。
【０１２６】
また、ステップＳ１３０２において、住所エリア属性が設定されていないと判断した場合（ステップＳ１３０２：Ｎｏ）、各属性に応じた地点検索処理をおこない（ステップＳ１３１０）、一連の処理を終了する。
【０１２７】
（ナビゲーション装置による地点検索処理の一例）
図１３−２は、ジャンル属性が設定された場合における地点検索処理の一例を示すフローチャートである。なお、図１３−２においては、図１３−１と同様に、入力ボックス７０２にキーワードが入力されているとともに、当該キーワードに属性が設定されていることを前提とする。
【０１２８】
図１３−２において、ナビゲーション装置３００のＣＰＵ３０１は、検索開始ボタン７０６が押下されたか否かを判断する（ステップＳ１３２１）。検索開始ボタン７０６が押下されるまで待機状態にあり（ステップＳ１３２１：Ｎｏのループ）、当該ボタンが押下されると（ステップＳ１３２１：Ｙｅｓ）、ジャンル属性が設定されているか否かを判断する（ステップＳ１３２２）。
【０１２９】
ジャンル属性が設定されていると判断した場合（ステップＳ１３２２：Ｙｅｓ）、入力キーワードが複数あるか否かを判断する（ステップＳ１３２３）。なお、入力キーワードが複数ある場合には、入力キーワードごとにそれぞれ異なる属性が設定されているものとする。入力キーワードが複数あると判断した場合（ステップＳ１３２３：Ｙｅｓ）、第２ジャンル検索により地点検索処理をおこない（ステップＳ１３２４）、一連の処理を終了する。なお、第２ジャンル検索による地点検索処理については、図１４−１、図１４−２、図１５を用いて後述する。
【０１３０】
一方、ステップＳ１３２３において、入力キーワードが単数であると判断した場合（ステップＳ１３２３：Ｎｏ）、ジャンル属性が設定されている入力キーワードとジャンルテーブル５３０（図５参照）中のジャンル名称とを照合する（ステップＳ１３２５）。そして、照合の結果、一致するものがあったか否かを判断する（ステップＳ１３２６）。一致するものがあった場合（ステップＳ１３２６：Ｙｅｓ）、一致するジャンル名称のジャンルコードを抽出する（ステップＳ１３２７）。
【０１３１】
このあと、ＣＰＵ３０１がＧＰＳユニット３１４の出力結果を用いて現在位置算出プログラムを実行することにより、現在位置の情報を取得する（ステップＳ１３２８）。そして、図５に示した住所テーブル５２０を用いて、現在位置のエリアコードを抽出する（ステップＳ１３２９）。そして、図５に示した地点情報テーブル５１０の中から、先に抽出したジャンルコードとエリアコードとに一致する地点情報を抽出する（ステップＳ１３３０）。
【０１３２】
そして、抽出した地点情報を検索結果として出力し（ステップＳ１３３１）、一連の処理を終了する。なお、ステップＳ１３２９〜ステップＳ１３３１の処理については、上述処理のほかにも、たとえば、ステップＳ１３２９における処理を削除し、すなわち、現在位置のエリアコードを抽出せずに、ステップＳ１３３０においてジャンルコードのみを用いて地点情報を抽出する。そして、ステップＳ１３２８にて取得した現在位置の情報を用いて、抽出した地点情報を現在位置から近い順に並べ、ステップＳ１３３１における検索結果の出力をおこなうことも可能である。
【０１３３】
一方、ステップＳ１３２６において、入力キーワードとジャンルテーブル５３０中のジャンル名称との照合の結果、一致するものがないと判断した場合（ステップＳ１３２６：Ｎｏ）、該当する地点がない旨を出力し（ステップＳ１３３２）、一連の処理を終了する。
【０１３４】
また、ステップＳ１３２２において、ジャンル属性が設定されていないと判断した場合（ステップＳ１３２２：Ｎｏ）、各属性に応じた地点検索処理をおこない（ステップＳ１３３３）、一連の処理を終了する。
【０１３５】
（特定の属性が設定されたキーワードと他の属性が設定されたキーワードとが受け付けられた場合の地点検索処理の一例）
つぎに、図１４−１、図１４−２、図１５を用いて、特定の属性（住所エリア属性またはジャンル属性）が設定されたキーワードと他の属性が設定されたキーワードとが受け付けられた場合の地点検索処理の一例について説明する。
【０１３６】
図１４−１は、地点のエリアを対象として検索をおこなうエリア検索におけるエリアコードの抽出処理の一例を示すフローチャートである。図１４−１に示すフローチャートは、住所エリア属性が設定された入力キーワードからエリアコードを抽出するときの処理を示している。なお、図１４−１においては、図１２に示した表示画面を前提とし、すなわち、「さいたま」の入力キーワードに住所エリア属性が設定され、「競技場」の入力キーワードにジャンル属性が設定され、「浦和」の入力キーワードに名称属性が設定されていることを前提とする。
【０１３７】
図１４−１において、ナビゲーション装置３００のＣＰＵ３０１は、住所エリアの入力キーワード（「さいたま」）と、図５に示した住所テーブル５２０中の住所名称とを照合する（ステップＳ１４０１）。そして、照合の結果、一致するものがあったか否かを判断する（ステップＳ１４０２）。一致するものがあったと判断した場合（ステップＳ１４０２：Ｙｅｓ）、一致した住所名称に対応するエリアコード「１１１００」（図５、符号５１４参照）を抽出する（ステップＳ１４０３）。
【０１３８】
そして、抽出したエリアコード「１１１００」を、バッファ１（たとえば、磁気ディスクドライブ３０４のドライブバッファ）に保存する（ステップＳ１４０４）。なお、バッファの数字は、各属性による検索結果ごとに便宜上定めた数字である。一方、ステップＳ１４０２において、照合の結果、一致するものがないと判断した場合（ステップＳ１４０２：Ｎｏ）、バッファ１に無効値を保存し（ステップＳ１４０５）、一連の処理を終了する。なお、無効値とは、当該入力キーワードに該当する地点がない旨を示すものである。
【０１３９】
図１４−２は、地点検索処理におけるジャンルコードの抽出処理の一例を示すフローチャートである。図１４−２に示すフローチャートは、ジャンル属性が設定された入力キーワードからジャンルコードを抽出するときの処理を示している。なお、この抽出処理は、現在位置周辺の地点のジャンルを対象として検索をおこなう第１ジャンル検索、および全ての地点のジャンルを対象として検索をおこなう第２ジャンル検索の、いずれの検索においても、おこなわれる処理である。
【０１４０】
図１４において、ナビゲーション装置３００のＣＰＵ３０１は、ジャンル名称の入力キーワード（「競技場」）と、図５に示したジャンルテーブル５３０中のジャンル名称とを照合する（ステップＳ１４１１）。そして、照合の結果、一致するものがあったか否かを判断する（ステップＳ１４１２）。一致するものがあったと判断した場合（ステップＳ１４１２：Ｙｅｓ）、一致したジャンル名称に対応するジャンルコード「１」（図５、符号５１３参照）を抽出する（ステップＳ１４１３）。
【０１４１】
そして、抽出したジャンルコード「１」を、バッファ２に保存する（ステップＳ１４１４）。一方、ステップＳ１４１２において、照合の結果、一致するものがないと判断した場合（ステップＳ１４１２：Ｎｏ）、バッファ２に無効値を保存し（ステップＳ１４１５）、一連の処理を終了する。
【０１４２】
図１５は、地点検索処理における名称検索処理の一例を示すフローチャートである。図１５に示すフローチャートは、名称属性が設定された入力キーワード、図１４−１に示したエリアコードの抽出処理により抽出されたエリアコード、および図１４−２に示したジャンルコードの抽出処理により抽出されたジャンルコード、を用いて施設を特定する際の処理を示している。
【０１４３】
図１５において、ナビゲーション装置３００のＣＰＵ３０１は、バッファ１に保存されたエリアコード「１１１００」を取得する（ステップＳ１５０１）。そして、取得したエリアコード「１１１００」と、図５に示した地点情報テーブル５１０中のエリアコードとを照合する（ステップＳ１５０２）。そして、照合の結果、一致するものがあったか否かを判断する（ステップＳ１５０３）。一致するものがあったと判断した場合（ステップＳ１５０３：Ｙｅｓ）、一致した地点情報を抽出し、検索用テーブルを作成する（ステップＳ１５０４）。なお、この検索用テーブルの詳細については図１６を用いて後述する。
【０１４４】
さらに、このあと、バッファ２に保存されたジャンルコード「１」を取得する（ステップＳ１５０５）。そして、取得したジャンルコード「１」と、ステップＳ１５０４にて作成した検索用テーブル中のジャンルコードとを照合する（ステップＳ１５０６）。そして、照合の結果、一致するものがあったか否かを判断する（ステップＳ１５０７）。一致するものがあったと判断した場合（ステップＳ１５０７：Ｙｅｓ）、一致した地点情報を抽出し、検索用テーブルを再作成する（ステップＳ１５０８）。
【０１４５】
なお、エリアコード「１１１００」とジャンルコード「１」を用いた照合および抽出の処理が、第２ジャンル検索に相当する。なお、現在位置周辺の地点のジャンルを対象として地点の検索をおこなう第１ジャンル検索では、現在位置に対応するエリアコードを用いて、照合および抽出の処理をおこなう。
【０１４６】
そして、施設名称の入力キーワード（「浦和」）と、ステップＳ１５０８にて再作成した検索用テーブルの中の施設名称とを照合する（ステップＳ１５０９）。そして、照合の結果、一致するものがあったか否かを判断する（ステップＳ１５１０）。一致するものがあったと判断した場合（ステップＳ１５１０：Ｙｅｓ）、一致した地点情報を抽出し、バッファ３に保存する（ステップＳ１５１１）。そして、バッファ３に保存した地点情報を検索結果として出力し（ステップＳ１５１２）、一連の処理を終了する。
【０１４７】
一方、ステップＳ１５０３において、エリアコードと、地点情報テーブル５１０中のエリアコードとの照合の結果、一致するものがないと判断した場合（ステップＳ１５０３：Ｎｏ）、該当する地点情報がない旨を出力し（ステップＳ１５１３）、一連の処理を終了する。また、ステップＳ１５０７において、ジャンルコードと検索用テーブル中のジャンルコードとの照合の結果、一致するものがないと判断した場合（ステップＳ１５０７：Ｎｏ）、ステップＳ１５１３に移行する。また、ステップＳ１５１０において、施設名称の入力キーワードと、再作成した検索用テーブルの中の施設名称との照合の結果、一致するものがないと判断した場合（ステップＳ１５１０：Ｎｏ）、ステップＳ１５１３に移行する。
【０１４８】
（検索処理において作成される検索用テーブルの一例）
つぎに、図１６を用いて、検索処理において作成される検索用テーブルの一例について説明する。図１６は、検索処理において作成される検索用テーブルの一例を示す説明図である。
【０１４９】
図１６において、第１検索用テーブル１６１０は、取得したエリアコード「１１１００」と、図５に示した地点情報テーブル５１０との照合の結果、一致するものがあった場合に、一致した地点情報を抽出したテーブルを示している。すなわち、第１検索用テーブル１６１０は、地点情報テーブル５１０の中から、エリアコード「１１１００」（「さいたま」）を抽出した際の施設情報を示したものである。
【０１５０】
第２検索用テーブル１６２０は、取得したジャンルコード「１」と、第１検索用テーブル１６１０中のジャンルコードとの照合の結果、一致するものがあった場合に、一致した地点情報を抽出することにより、再作成したテーブルを示している。すなわち、第２検索用テーブル１６２０は、第１検索用テーブル１６１０の中からジャンルコード「１」（「競技場」）を抽出した際の、施設名称を示している。なお、入力キーワードに、名称属性が入力されていない場合には、この第２検索用テーブル１６２０の内容が検索結果として出力される。
【０１５１】
検索結果１６３０は、施設名称の入力キーワード（「浦和」）と、第２検索用テーブル１６２０の中の施設名称との照合の結果、一致するものがあった場合に、一致した地点情報を抽出することにより、出力される検索結果を示している。すなわち、検索結果１６３０は、第２検索用テーブル１６２０の中から「浦和」の文字を含む施設情報を示している。つまり、「浦和スタジアム」が検索結果１６３０として出力されることを示している。
【０１５２】
なお、上述した説明においては、第１検索用テーブル１６１０を作成するエリア検索、第２検索用テーブルを作成するジャンル検索、第２検索用テーブルから地点情報を抽出する名称検索、の順に検索をおこなうようにしているが、各検索の順番については、任意である。また、検索結果１６３０が出力される際の表示画面については、図１７および図１８を用いて以下に説明する。
【０１５３】
なお、図１４−１〜図１６を用いた説明においては、図１２に示した表示画面を前提とし、すなわち、「さいたま」の入力キーワードに住所エリア属性が設定され、「競技場」の入力キーワードにジャンル属性が設定され、「浦和」の入力キーワードに名称属性が設定されていることを前提としているが、住所エリア属性に入力キーワードがなく、すなわち、ジャンル属性の「競技場」と、名称属性の「浦和」とが入力されている場合について、補足しておく。
【０１５４】
この場合、第１検索用テーブル１６１０が作成されず、図５に示したジャンルテーブル５３０から、ジャンルコード「１」を抽出することにより、エリアコードの情報のない第２検索用テーブル１６２０に相当するテーブルを作成する。そして、作成したテーブルから「浦和」の文字を含む施設情報を抽出する。そして、抽出した情報が検索結果として出力される。すなわち、この場合、競技場を示すジャンルコード「１」のうち、「浦和」と名の付くものが検索結果として出力される。
【０１５５】
（検索結果を出力した際の表示画面の一例）
つぎに、図１７および図１８を用いて、検索結果を出力した際の表示画面の一例について説明する。図１７は、１件の検索結果を出力した際の表示画面の一例を示す説明図である。
【０１５６】
図１７において、ディスプレイ３１２には、検索結果画面１７１０と、地図画面１７２０とが表示されている。検索結果画面１７１０には、検索結果として「浦和スタジアム」の住所などが表示される。また、検索結果画面１７１０には、「浦和スタジアム」を目的地に設定するか否かの入力を受け付ける選択ボタン１７１１が表示されている。この選択ボタン１７１１のうち、ユーザが「はい」を選択すると、「浦和スタジアム」を目的地として設定する。
【０１５７】
地図画面１７２０には、「浦和スタジアム」を中心に、周辺の地図が表示されている。なお、この検索結果画面１７１０においては、１件のみの検索結果を示しているが、検索結果が複数の場合には、複数件の検索結果を表示することもある。検索結果が複数件表示される際の表示画面については、図１８を用いて以下に説明する。
【０１５８】
図１８は、複数件の検索結果を出力した際の表示画面の一例を示す説明図である。図１８において、ディスプレイ３１２には、複数の検索結果が列挙されて表示されている。この表示画面において、たとえば、「浦和スタジアム」がユーザにより選択されると、図１７に示した表示画面に移行する。なお、「浦和スタジアム」以外の他の地点がユーザにより選択された場合にも同様に、それぞれの検索結果画面や地図画面が表示された表示画面に移行する。
【０１５９】
上述した処理および表示画面によれば、複数のキーワード（「さいたま」、「競技場」、「浦和」）を受け付け、各入力キーワードに属性を設定するとともに、各属性により特定される検索手法を用いて、各入力キーワードに該当する地点を検索するようにしたので、属性の異なる複数の入力キーワードの入力を同一画面上にておこなうことができる。
【０１６０】
以上説明したように、本実施例にかかるナビゲーション装置３００は、複数の入力キーワードに属性を設定し、特定の属性が設定された入力キーワードのみが受け付けられた場合と、特定の属性が設定されたキーワードと他の属性が設定されたキーワードが受け付けられた場合とで、検索手法を異ならせるようにした。したがって、検索をおこなうにあたりユーザからの検索手法の設定を要することのない、所謂フリーキーワードによる検索をおこなうことができる。
【０１６１】
これにより、ユーザは、検索手法を設定することによる煩わしさを軽減できるとともに、ユーザによる検索手法の誤認に伴う誤った検索を抑止することができることにより、的確な検索結果を得ることができる。特に、複数のキーワードを用いて検索をおこなう場合には、どのキーワードがどの検索手法に該当するのかといったことをユーザが判断する必要がなく、検索時におけるユーザの負担を軽減することができる。
【０１６２】
また、住所エリア属性が設定されたキーワードのみが受け付けられた場合に、住所検索により検索をおこなう一方、住所エリア属性が設定された第１キーワードと他の属性が設定された第２キーワードとが受け付けられた場合には、エリア検索による検索手法を用いて第１キーワードに該当し、かつ、他の属性により特定される検索手法を用いて第２キーワードに該当する地点を検索するようにしたので、入力キーワードの属性および数に応じて、住所検索またはエリア検索による検索をおこなうことができる。したがって、住所検索またはエリア検索をユーザが判断することなく、ユーザが所望する検索をおこなうことができる。これにより、迅速且つ的確に検索結果を得ることができる。
【０１６３】
また、他の属性を、名称属性、ヨミ属性、ジャンル属性、および電話番号属性のうち、少なくともいずれか一つを含むようにしたので、従来のように、ユーザがエリアを指定するといった煩雑な操作をおこなうことなく、上記他の属性が設定された入力キーワードを受け付けた場合には、入力したキーワードのエリアに絞り、上記他の属性による検索手法を用いて検索することができる。
【０１６４】
また、ジャンル属性が設定されたキーワードのみが受け付けられた場合には、周辺検索をおこなう第１ジャンル検索により検索をおこなう一方、ジャンル属性が設定された第１キーワードと他の属性が設定された第２キーワードとが受け付けられた場合には、全ての地点のジャンルを対象とした第２ジャンル検索により第１キーワードに該当し、かつ、他の属性により特定される検索手法を用いて第２キーワードに該当する地点を検索するようにしたので、入力キーワードの属性および数に応じて、第１ジャンル検索または第２ジャンル検索による検索をおこなうことができる。したがって、第１ジャンル検索または第２ジャンル検索をユーザが判断することなく、ユーザが所望する検索をおこなうことができる。これにより、迅速且つ的確に検索結果を得ることができる。
【０１６５】
また、他の属性を、名称属性、ヨミ属性、住所エリア属性、および電話番号属性のうち、少なくともいずれか一つを含むようにすれば、従来のように、ユーザが第１ジャンル検索または第２ジャンル検索を指定するといった煩雑な操作をおこなうことなく、上記他の属性が設定された入力キーワードを受け付けた場合には、第２のジャンル検索を用いるとともに、上記他の属性による検索手法を用いて検索することができる。
【０１６６】
以上のように、本発明の地点検索装置、地点検索方法、地点検索プログラム、および記録媒体によれば、複数のキーワードを用いて検索をおこなう場合には、どのキーワードがどの検索手法に該当するのかといったことをユーザが判断する必要がなく、検索時におけるユーザの負担を軽減することができる。
【０１６７】
なお、本実施例で説明した地点検索方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【０１６８】
１００  地点検索装置
１１０  テーブル記憶部
１２０  キーワード入力部
１３０  設定部
１４０  データベース
１５０  開始入力部
１６０  検索部
１７０  出力部
３００  ナビゲーション装置
【図１】
0005567161.tif 000002
【図２】
0005567161.tif 000003
【図３】
0005567161.tif 000004
【図４】
0005567161.tif 000005
【図５】
0005567161.tif 000006
【図６−１】
0005567161.tif 000007
【図６−２】
0005567161.tif 000008
【図７】
0005567161.tif 000009
【図８】
0005567161.tif 000010
【図９】
0005567161.tif 000011
【図１０】
0005567161.tif 000012
【図１１】
0005567161.tif 000013
【図１２】
0005567161.tif 000014
【図１３−１】
0005567161.tif 000015
【図１３−２】
0005567161.tif 000016
【図１４−１】
0005567161.tif 000017
【図１４−２】
0005567161.tif 000018
【図１５】
0005567161.tif 000019
【図１６】
0005567161.tif 000020
【図１７】
0005567161.tif 000021
【図１８】
0005567161.tif 000022